(57)【特許請求の範囲】
【請求項１】
冷気を生成する冷却器と、前記冷却器から吐出通路を介して冷気を供給して所定の温度に維持される第１貯蔵室と、第１貯蔵室から連通路を介して冷気を供給して第１貯蔵室よりも高温の冷蔵温度に維持される第２貯蔵室と、第２貯蔵室から前記冷却器に冷気を戻す戻り通路と、臭気成分を付着して脱臭を行うとともに前記吐出通路、前記連通路及び前記戻り通路のいずれかから成る脱臭経路内に配される脱臭部とを備え、前記脱臭経路の高温側の一端を低温側の他端よりも上方に配置したことを特徴とする冷蔵庫。
【請求項２】
前記脱臭部は前記脱臭経路の前記一端近傍又は前記他端近傍に設けられたことを特徴とする請求項１に記載の冷蔵庫。
【請求項３】
前記脱臭経路が前記吐出通路又は前記戻り通路のいずれかから成る場合に、前記脱臭部は前記脱臭経路の前記一端近傍に設けられたことを特徴とする請求項１又は請求項２に記載の冷蔵庫。
【請求項４】
前記脱臭経路において冷気は、前記一端から前記他端に向かって流通することを特徴とする請求項３に記載の冷蔵庫。
【請求項５】
前記脱臭部は空気より軽い臭気成分を吸着する第１の脱臭部および空気より重い臭気成分を吸着する第２の脱臭部の少なくとも一方を含み、
前記脱臭経路は水平方向に対して所定の角度以下となる勾配部を有し、
前記勾配部の上壁面に前記第１の脱臭部を設け、及び／又は、前記勾配部の下壁面に前記第２の脱臭部を設けたことを特徴とする請求項１〜請求項４のいずれか１項に記載の冷蔵庫。
【発明の詳細な説明】
【技術分野】
【０００１】
本発明は脱臭経路に脱臭部を備えた冷蔵庫に関する。
【背景技術】
【０００２】
従来の冷蔵庫は特許文献１に開示されている。この冷蔵庫は断熱箱体の上部に貯蔵物を冷蔵保存する冷蔵室が配され、冷蔵室の下方には貯蔵物を冷凍保存する冷凍室が配される。冷凍室の下方には冷蔵室よりも高温で貯蔵物を冷蔵保存する野菜室が配される。
【０００３】
断熱箱体の後部には冷却器、送風ファン及びダンパを配して冷気が流通する冷気通路が設けられている。冷気通路には冷凍室に臨む吐出口及び戻り口、冷蔵室に臨む吐出口、野菜室に臨む戻り口がそれぞれ開口する。また、冷気通路は冷却器で生成された冷気を冷蔵室及び冷凍庫に臨む吐出口に導く通路と、野菜室及び冷凍室に臨む戻り口から流入した冷気を冷却器に導く通路とを有する。また、冷蔵室には冷気を野菜室に導く連通路が導出され、当該連通路には脱臭部が配されている。
【０００４】
上記構成の冷蔵庫において、圧縮機及び送風ファンの駆動によって冷気通路を流通する空気と冷却器とが熱交換して生成された冷気が吐出口から冷凍室に吐出される。吐出口から吐出された冷気は冷凍室内を流通し、戻り口を介して冷却器に戻る。
【０００５】
また、ダンパが開かれると冷気は冷蔵室の吐出口から吐出され、戻り口に戻り連通路を介して野菜室内に流入する。野菜室内を流通した冷気は戻り口を介して冷却器に戻る。これにより、冷凍室、冷蔵室及び野菜室内が冷却される。また、連通路内に配された脱臭部により、冷蔵室からの冷気を野菜室へ流入する直前に脱臭することができる。
【先行技術文献】
【特許文献】
【０００６】
【特許文献１】特開２００９−２８１７１６号公報
【発明の概要】
【発明が解決しようとする課題】
【０００７】
しかしながら、従来の冷蔵庫によると、ダンパが閉じられて冷気が冷蔵室及び野菜室内を循環しない場合に、温度が冷蔵室よりも高い目に設定される野菜室が冷蔵室よりも下方に配されることに起因して、連通路内に野菜室から冷蔵室へ向かう気流が発生する。
【０００８】
そして、連通路内に配される脱臭部に吸着された臭気成分がこの気流に乗って冷蔵室に放出され、冷蔵室に臭気成分が逆流するという問題があった。
【０００９】
本発明は、冷気の循環が行われない場合であっても、貯蔵室内に臭気成分を流入させることがない冷蔵庫を提供することを目的とする。
【課題を解決するための手段】
【００１０】
上記目的を達成するために本発明の冷蔵庫は、冷気を生成する冷却器と、前記冷却器から吐出通路を介して冷気を供給して所定の温度に維持される第１貯蔵室と、第１貯蔵室から連通路を介して冷気を供給して第１貯蔵室よりも高温の冷蔵温度に維持される第２貯蔵室と、第２貯蔵室から前記冷却器に冷気を戻す戻り通路と、臭気成分を付着して脱臭を行うとともに前記吐出通路、前記連通路及び前記戻り通路のいずれかから成る脱臭経路内に配される脱臭部とを備え、前記脱臭経路の高温側の一端を低温側の他端よりも上方に配置したことを特徴とする。
【００１１】
また本発明は、上記構成の冷蔵庫において、前記脱臭部は前記脱臭経路の前記一端近傍又は前記他端近傍に設けられたことが望ましい。
【００１２】
また本発明は、上記構成の冷蔵庫において、前記脱臭経路が前記吐出通路又は前記戻り通路のいずれかから成る場合に、前記脱臭部は前記脱臭経路の前記一端近傍に設けられたことが望ましい。
【００１３】
また本発明は、上記構成の冷蔵庫において、前記脱臭経路において冷気は、前記一端から前記他端に向かって流通することが望ましい。
【００１４】
また本発明は、上記構成の冷蔵庫において、前記脱臭部は空気より軽い臭気成分を吸着する第１の脱臭部および空気より重い臭気成分を吸着する第２の脱臭部の少なくとも一方を含み、前記脱臭経路は水平方向に対して所定の角度以下となる勾配部を有し、前記勾配部の上壁面に前記第１の脱臭部を設け、及び／又は、前記勾配部の下壁面に前記第２の脱臭部を設けたことが望ましい。
【発明の効果】
【００１５】
本発明によると、冷蔵庫は、冷却器から第１貯蔵室に冷気を供給する吐出通路と、第１貯蔵室から第２貯蔵室に冷気を供給する連通路と、第２貯蔵室から冷却器に冷気を戻す戻り通路を備え、吐出通路、連通路及び戻り通路のいずれかから成る脱臭経路内に脱臭部が配される。そして、脱臭経路は高温側の一端が低温側の他端よりも上方に配置されている。これにより、冷気の循環が行われていない場合に、脱臭部を流通する気流が発生しにくくなり、脱臭部に付着した臭気成分が再び脱臭経路外に放出されることを抑制できる。
【図面の簡単な説明】
【００１６】
【図１】本発明の第１実施形態の冷蔵庫を示す正面図
【図２】本発明の第１実施形態の冷蔵庫の本体部の正面図
【図３】図２のＡ−Ａ断面図
【図４】図２のＢ−Ｂ断面図
【図５】本発明の第１実施形態の冷蔵庫の冷気通路の上部通路の下部及び冷却器室を示す概略背面図
【図６】本発明の第１実施形態の冷蔵庫の野菜室を示す斜視図
【図７】本発明の第１実施形態の冷蔵庫の脱臭経路に備えられる脱臭部を示す斜視図
【図８】本発明の第２実施形態の冷蔵庫の構成を示す側面断面図
【図９】本発明の第３実施形態の冷蔵庫の脱臭経路を示す概略図
【発明を実施するための形態】
【００１７】
＜第１実施形態＞
以下に本発明の実施形態を図面を参照して説明する。図１は第１実施形態の冷蔵庫１の正面図を示している。冷蔵庫１は本体部２（図２参照）に設けられる複数の貯蔵室の前面にそれぞれ扉が配される。冷蔵庫１の上部には貯蔵物を冷蔵保存する冷蔵室４が配され、冷蔵室４の前面は観音開きの扉４Ｌ及び扉４Ｒにより開閉される。冷蔵庫１の下部には貯蔵物を冷凍保存する冷凍室６が配され、冷凍室６の前面は収納ケース６ｄ（図２参照）と一体の引出式の扉６ａにより開閉される。
【００１８】
冷蔵室４と冷凍室６との間には右方に偏って野菜室５が配される。野菜室５は冷蔵室４よりも高温の冷蔵温度に維持されて野菜等の貯蔵物を冷蔵保存し、収納ケース５０（図２参照）と一体の引出式の扉５ａにより開閉される。
【００１９】
また、冷蔵室４と冷凍室６との間には野菜室５の左方に隣接して冷凍温度に維持される冷凍区画部２１（図２参照）が設けられる。冷凍区画部２１は上部に配される製氷室２５と下部に配される冷凍室２６とを有している。製氷室２５の前面は貯氷ケース２５ｂ（図２参照）と一体の引出式の扉２５ａにより開閉される。冷凍室２６の前面は収納ケース２６ｂ（図２参照）と一体の引出式の扉２６ａにより開閉される。
【００２０】
尚、扉５ａは冷蔵室４の扉４Ｒと同じ横幅に形成され、扉２５ａ、２６ａは冷蔵室４の扉４Ｌと同じ横幅に形成される。これにより、冷蔵庫１の美観を向上することができる。
【００２１】
図２は本体部２の正面図を示している。また、図３は図２のＡ−Ａ断面図を示し、図４は図２のＢ−Ｂ断面図を示している。本体部２は内箱と外箱との間に発泡断熱材１３を充填した断熱箱体３により各貯蔵室を形成する。冷蔵室４と野菜室５との間及び冷蔵室４と製氷室２５との間は水平に配された断熱壁から成る仕切部１８によって仕切られる。野菜室５と冷凍室６との間は水平に配された断熱壁から成る仕切部１９によって仕切られる。野菜室５と冷凍区画部２１との間は鉛直に配された断熱壁から成る仕切部２０によって仕切られる。
【００２２】
冷凍室２６と冷凍室６との間の前端部には仕切部１９と同じ高さに水平に配された仕切部３６が設けられる。製氷室２５と冷凍室２６との間の前端部には水平に配された仕切部３５が設けられる。製氷室２５、冷凍室２６及び冷凍室６は仕切部３５、３６の後方で互いに連通する。
【００２３】
冷蔵室４内には複数の棚４ｂ、４ｃ、４ｄ、４ｅが設けられる。下端の棚４ｅの下方には右側に偏って隔離室から成るチルド室７０が形成される。チルド室７０内には収納ケース７０ａが設けられる。チルド室７０の左方には収納ケース７１を配した小物室が隣接し、小物室の左方には製氷用の水を貯水する貯水タンク７２が配される。
【００２４】
また、野菜室５の収納ケース５０上には収納ケース５１が載置される。冷凍室６の収納ケース６ｄ上には収納ケース６ｃが載置され、収納ケース６ｃ上には収納ケース６ｂが載置される。
【００２５】
本体部２の下部には断熱箱体３の後方に機械室３０が設けられる。機械室３０内には冷凍サイクルを運転する圧縮機３１が配される。
【００２６】
本体部２の後部には冷気が流通する冷気通路７が設けられる。冷気通路７は冷却器室１２と、上部通路９と、下部通路２９と、戻り通路３４とを有している。冷却器室１２は冷凍室２６の下方から野菜室５の下方に亘って冷凍室６の後方に配され、冷却器１１が設置される。冷却器１１は機械室３０よりも上方であり、冷却器室１２の下端部には冷凍室６から冷気が戻る戻り口９ｃが設けられる。
【００２７】
上部通路９は冷却器室１２から上方に延び、下部通路２９は仕切板２７を介して冷却器室１２の前面に配される。戻り通路３４は野菜室５から上部通路９と反対側の冷凍室６の側壁に沿って下方に導出され、冷却器室１２の流入口１２ｃ（図５参照）を介して連結される。また、冷蔵室４の底壁を形成する仕切部１８には冷蔵室４と野菜室５とを連通させる連通路４４が設けられ、連通路４４の上方の連通口４ｆは冷蔵室４に臨み、下方の連通口４ｇは野菜室５に臨む。
【００２８】
上部通路９内には下方から送風ファン１０、ダンパ２３、送風ファン２４が配される。送風ファン１０は正面投影において仕切部３６に重なる位置に配される。下部通路２９は送風ファン１０の排気側で上部通路９に対して分岐して下方に延びる。ダンパ２３は冷蔵室４及び野菜室５の冷却時に開かれ、上部通路９のダンパ２３よりも上方に形成された冷蔵用通路８に冷気を導く。送風ファン２４はダンパ２３を開いた際に駆動される。
【００２９】
なお、ダンパ２３よりも下方の上部通路９及び下部通路２９の前面はパネル７ａによりにより覆われる。また、ダンパ２３よりも下方の上部通路９の前面に配されるパネル７ａの横幅は本体部２の横幅の半分以下の大きさに形成されている。また、上部通路９のダンパ２３よりも上方の冷蔵用通路８の前面はパネル７ｂにより覆われる。
【００３０】
上部通路９のダンパ２３よりも上方の冷蔵用通路８は冷蔵室４の背面及び天井面に沿って配され、冷蔵室４に臨む複数の吐出口８ａ〜８ｆが開口する。吐出口８ａは冷蔵室４の天井面に備えられた冷蔵用通路８の前部に設けられる。吐出口８ｂ〜８ｄは各棚板４ｂ〜４ｅの間に設けられる。下方の吐出口８ｅ、８ｆはチルド室７０内に臨む。
【００３１】
上部通路９のダンパ２３よりも下方は野菜室５を避けて製氷室２５及び冷凍室２６の後方を通り、製氷室２５に臨む吐出口９ａ及び冷凍室２６に臨む吐出口９ｂが開口する。下部通路２９には冷凍室６に臨む吐出口２９ａ〜２９ｄが開口する。吐出口２９ａ〜２９ｃは冷凍室２６の鉛直下方に上下方向に並設される。吐出口２９ｄは野菜室５の鉛直下方に配される。
【００３２】
図５は冷気通路７の上部通路９の下部及び冷却器室１２の概略背面図を示している。図６は野菜室５の概略斜視図を示している。上部通路９の右側の側壁９ｄと冷却器室１２の上壁１２ｂとの間は傾斜面からなる気流案内部１２ａにより連結される。これにより、左右幅の大きい冷却器室１２から冷凍区画部２１（図１参照）の後方に配した左右幅の狭い上部通路９に円滑に冷気が流入する。従って、冷気通路７の圧力損失を低減することができる。
【００３３】
冷却器室１２の上部通路９と反対側の側壁１２ｄの下端部には流入口１２ｃが設けられている。流入口１２ｃは戻り通路３４と連結されている。送風ファン１０と流入口１２ｃとを結ぶ直線Ｄは気流案内部１２ａに対して略平行になっている。これにより、流入口１２ｃを介して冷却器室１２内に冷気が戻った際、冷蔵庫１は上部通路９に冷却器室１２の右端部の気流を停留させずに導くことができる。
【００３４】
また、野菜室５の底壁を形成する仕切部１９の後部と左側壁を形成する仕切部２０の後部との間には気流案内部１２ａとの干渉を回避する回避部５ｄが設けられる。尚、野菜室５内の収納ケース５０（図４参照）の側壁と底壁との間には回避部５ｄとの干渉を回避する面取り（不図示）が形成される。
【００３５】
戻り通路３４は脱臭部４０が配される脱臭経路を構成する。戻り通路３４は上方の連通口が野菜室５に臨み、下方の連通口が冷却器室１２に臨むことにより、上方一端が下方他端よりも高温になる。
【００３６】
脱臭部４０は、図７に示すように、コルゲートハニカム状に形成された物質に、低温脱臭触媒が形成または臭気成分吸着剤がコーティングされたものが例示される。低温脱臭触媒及び吸着剤を担持したフィルターや不織布により脱臭部４０を構成してもよいが、ハニカム状に形成すると圧力損失を低くできるのでより望ましい。
【００３７】
低温脱臭触媒の主成分は特に限られるものではないが、例えば、二酸化マンガン、酸化第二銅、酸化アルミニウム、酸化マグネシウムなどの表面処理、及びゼオライトを主成分とした臭気成分吸着剤などが使用される。これにより、食品から発生するメチルメルカプタンや硫化水素等の悪臭の原因となる臭気成分を吸着し、それらを分解して無臭又は低臭な物質にすることができる。
【００３８】
上述したように、脱臭経路の下方他端は冷却器室１２に臨んでいる。冷却器室１２は冷却器１１を駆動する圧縮機３１の運転状態に対して温度の変動が大きく、したがって、脱臭経路の下方他端の温度変動は、上方一端に比べて大きい。脱臭部４０は急激な温度変化に起因して脱臭成分を放出することがあるため、脱臭部４０において温度変化の小さい上方一端近傍に設けられる。
【００３９】
上記構成の冷蔵庫１において、圧縮機３１及び送風ファン１０の駆動によって冷却器室１２を流通する空気と冷却器１１とが熱交換して冷気が生成される。生成された冷気は吐出口９ａから製氷室２５に吐出され、吐出口９ｂから冷凍室２６に吐出される。また、冷気は下部通路２９を流通して吐出口２９ａ、２９ｂ、２９ｃから冷凍室６に吐出される。吐出された冷気は製氷室２５、冷凍室２６及び冷凍室６内を流通し、戻り口９ｃを介して冷却器１１に戻る。これにより、製氷室２５、冷凍室２６及び冷凍室６内の冷却が行われる。
【００４０】
ダンパ２３が開かれると上部通路９の冷蔵用通路８に冷気が流入し、吐出口８ａ、８ｂ、８ｃ、８ｄ、８ｅ、８ｆから冷蔵室４に吐出される。吐出された冷気は冷蔵室４の前方へ流通した後に下方に流通し、連通口４ｇから流出する。これにより、冷蔵室４内の冷却が行われる。
【００４１】
その後、連通口４ｇを介して冷気は野菜室５内に吐出され、野菜室５内の前部から後部へと流通し、戻り通路３４を介して流入口１２ｃから冷却器室１２に戻る。これにより、野菜室５内の冷却が行われる。戻り通路３４に流入する冷気に含まれる臭気成分は、戻り通路３４内に設けられた脱臭部４０に付着して分解される。
【００４２】
その後、ダンパ２３が閉じられると、上部通路９の冷蔵用通路８に対する冷気の流入が止まり、冷蔵室４及び野菜室５に対する冷気の循環が停止する。その際、野菜室５内の温度は冷却器室１２の温度よりも高く、戻り通路３４の上方一端は野菜室５に臨んで、冷却器室１２に臨む下方他端よりも高温である。従って、戻り通路３４内において、下方他端の側には上方一端の側よりも高温となる空気がほとんど無いため、戻り通路３４内に熱対流による気流、すなわち、野菜室５から冷却器室１２に向かう気流及び冷却器室１２から野菜室５に向かう気流が発生しにくい。これにより、冷気の循環が停止されている状態において、脱臭部４０に付着した臭気成分がこの気流に乗って野菜室５や冷却器室１２に放出されることを抑制できる。
【００４３】
本実施形態によると、冷蔵室４、野菜室５及び冷却器室１２を備える冷蔵庫１において、野菜室５を流通した冷気は戻り通路３４を介して冷却器室１２に戻る。戻り通路３４は脱臭経路を構成し、脱臭経路には脱臭部４０が配される。よって脱臭経路を流通する冷気に含まれる臭気成分が脱臭部４０に付着して分解されることで悪臭の発生が防がれる。また、脱臭経路において野菜室５に臨む高温側の一端は、冷却器室１２に臨む低温側の他端よりも上方に位置する。従って、冷気の循環が停止された場合において、脱臭経路内で熱対流による気流が発生せず、脱臭部４０に付着した臭気成分が野菜室５や冷却器室１２に放出されない。
【００４４】
なお、本実施形態では戻り通路３４が脱臭経路を構成することとしたが、脱臭経路は高温側一端が低温側一端よりも上方に位置するものであればよく、冷却器１１で生成した冷気を冷蔵室４に供給する上部通路９及び冷蔵用通路８を含む吐出通路が脱臭経路を構成することとしてもよい。
【００４５】
また、脱臭部４０は脱臭経路の一端に設けられる。脱臭部４０が脱臭経路の端部近傍に設けられることにより、脱臭部４０の交換作業が容易となる。また、脱臭経路が吐出経路（上部通路９及び冷蔵用通路８を含む）又は戻り通路３４から構成される場合において低温側他端は冷却器１１の温度の変動に伴って大きく変動するため、脱臭部４０を高温側一端に設けることで温度の変動を小さくすることができる。
【００４６】
また、戻り通路３４から構成される脱臭経路において冷気は上方に位置する高温側一端から下方に位置する低温側他端に流通する。したがって、仮に脱臭部４０の脱臭能力の飽和などにより脱臭部４０に付着した脱臭成分が放出されることがあったとしても、冷気の循環時及び非循環時のいずれにかかわらず、放出された臭気成分の行き先は冷却器室１２であり食品貯蔵室ではない。従って、食品に臭気成分が付着しない。
【００４７】
＜第２実施形態＞
第１実施形態では、冷蔵庫１の上部に冷蔵室４が配され、下部に冷凍室６が配されることとし、また、冷蔵室４と冷凍室６との間に右方に偏って野菜室５が配されることとした。しかしながら各貯蔵室の位置関係はこれに限定されるものではない。本実施形態では、冷蔵庫１の上部に野菜室５が配され、下部に冷凍室６が配されることとし、また、野菜室５と冷凍室６との間に冷蔵室４が配されることとする。
【００４８】
図８は本実施形態の冷蔵庫の構成を示す側面断面図である。図８は本実施形態の説明に必要な構成を中心に図示した簡略な側面断面図であり、図示されていない構成については適宜、第１実施形態の各図（図１〜図７）を参照することとする。
【００４９】
上記構成の冷蔵庫１において、圧縮機３１及び送風ファン１０の駆動によって冷却器室１２を流通する空気と冷却器１１とが熱交換して冷気が生成される。生成された冷気は下部通路２９を流通して吐出口２９ａ、２９ｂ、２９ｃから冷凍室６に吐出される。吐出された冷気は冷凍室６内を流通し、戻り口９ｃを介して冷却器１１に戻る。これにより、冷凍室６内の冷却が行われる。
【００５０】
ダンパ２３が開かれると上部通路９の冷蔵用通路８に冷気が流入し、吐出口８ａ、８ｂ、８ｃ、８ｄから冷蔵室４に吐出される。吐出された冷気は冷蔵室４の前方へ流通した後に上方に流通し、連通口４ｆから流出する。これにより、冷蔵室４内の冷却が行われる。
【００５１】
その後、連通口４ｆを介して冷気は野菜室５内に吐出され、野菜室５内の前部から後部へと流通し、戻り通路３４を介して流入口１２ｃから冷却器室１２に戻る。これにより、野菜室５内の冷却が行われる。なお、図８では戻り通路３４の下端と冷却器室１２の流入口１２ｃとが連通している様子が図示されていないが、戻り通路３４は冷蔵室４及び冷凍室６の背面側で下方に伸びて冷却器室１２の流入口１２ｃとが連通する（図４及び図５参照）。
【００５２】
本実施形態において冷蔵室４と野菜室５の間に配される連通路４４は脱臭部４０が配される脱臭経路を構成する。連通路４４は上方の連通口４ｆが野菜室５に臨み、下方の連通口４ｇが冷蔵室４に臨むことにより、上方一端が下方他端よりも高温になる。そして、冷気が連通路４４を流通する際に、冷気に含まれる臭気成分は、脱臭部４０に付着して分解される。
【００５３】
なお、本実施形態の脱臭経路は一端又は他端が共に貯蔵室（冷蔵室４又は野菜室５）に臨んでおり、冷却器室１２に臨んでいない。このため、脱臭部４０を脱臭経路のどの位置に設けることとしてもよいが、脱臭経路の一端又は他端に設けることで、脱臭部４０の交換作業が行いやすい。
【００５４】
その後、ダンパ２３が閉じられると、上部通路９の冷蔵用通路８に対する冷気の流入が止まり、冷蔵室４及び野菜室５に対する冷気の循環が停止する。その際、野菜室５内の温度は冷蔵室４の温度よりも高く、連通路４４の上方一端は野菜室５に臨んで、冷蔵室４に臨む下方他端よりも高温である。従って、連通路４４内において既により高温の空気が上方に、より低温の空気が下方に偏在しているため、熱対流が発生せず、野菜室５から冷蔵室４に向かう気流及び冷蔵室４から野菜室５に向かう気流は発生しない。これにより、冷気の循環が停止されている状態において、脱臭部４０に付着した臭気成分が冷蔵室４や野菜室５に放出されない。
【００５５】
本実施形態によると、第１実施形態と同様の効果を得ることができる。また、脱臭部４０が設けられる脱臭経路の両端が貯蔵室に臨んでいても、冷気の循環が停止された場合において、脱臭経路内で熱対流による気流が発生せず、脱臭部４０に付着した臭気成分が野菜室５や冷蔵室４に放出されず、臭気成分が食品に付着しない。
【００５６】
なお、本実施形態では連通路４４が脱臭経路を構成することとしたが、脱臭経路は高温側一端が低温側一端よりも上方に位置するものであればよく、冷却器１１で生成した冷気を冷蔵室４に供給する上部通路９及び冷蔵用通路８を含む吐出通路又は戻り通路３４が脱臭経路を構成することとしてもよい。
【００５７】
＜第３実施形態＞
第１実施形態及び第２実施形態において脱臭部４０は脱臭経路の端部近傍に設けることとしたが、第３実施形態では脱臭経路の勾配が緩い部分に脱臭部４０を設けることを特徴とする。図９は第３実施形態の脱臭経路及び他の脱臭部を示す図である。
【００５８】
本実施形態において脱臭経路ＤＰは垂直方向（上下方向）に伸びる垂直部と、水平を含む勾配を有する勾配部とを備える。以下の説明では、勾配部は、水平方向（左右方向）に伸びる水平部となっている。図９（ａ）で脱臭経路ＤＰは高温側一端から順に、第１垂直部Ｐ１、水平部Ｐ２、及び、第２垂直部Ｐ３から構成される。図９（ｂ）で脱臭経路ＤＰは高温側一端から順に、第１垂直部Ｐ５、第１水平部Ｐ６、第２垂直部Ｐ７、第２水平部Ｐ８、及び、第３垂直部Ｐ９から構成される。
【００５９】
図９（ａ）で脱臭部Ｄ１及びＤ２は水平部Ｐ２に設けられる。また、図９（ｂ）で脱臭部Ｄ１は第１水平部Ｐ６に設けられ、脱臭部Ｄ２は第２水平部Ｐ８に設けられる。脱臭部Ｄ１は空気より重い臭気成分を付着し、分解する脱臭触媒であり、脱臭部４０と同様の脱臭触媒を用いてもよい。脱臭部Ｄ２は空気より軽い臭気成分（例えばアンモニア）を付着し、分解する脱臭触媒であり、貴金属系触媒（例えばＰｔ−アルミナ系脱臭触媒）が用いられる。
【００６０】
空気より重い臭気成分を付着する脱臭部Ｄ１は水平部の下壁面に配され、また、空気より軽い臭気成分を付着する脱臭部Ｄ２は水平部の上壁面に配される。これにより、各臭気成分が脱臭部Ｄ１又はＤ２に付着しやすくなる。
【００６１】
本実施形態において図９（ａ）では水平部Ｐ２に脱臭部Ｄ１及びＤ２を１個ずつ配することとしたが、いずれか一方を配することとしてもよいし、一方又は双方を複数個配することとしてもよい。また、図９（ｂ）では第１水平部Ｐ６に１個の脱臭部Ｄ１を配し、第２水平部Ｐ８に１個の脱臭部Ｄ２を配することとしたが、各水平部に脱臭部Ｄ１及びＤ２の双方を１個ずつ配することとしてもよいし、一方又は双方を複数個配することとしてもよい。
【００６２】
なお、本実施形態では、勾配部の勾配角は、脱臭部Ｄ１が脱臭する臭気成分と脱臭部Ｄ２が脱臭する臭気成分とが比重によって脱臭経路ＤＰ内で上下に分離出来る程度の角度以下とすることが好ましく、たとえば、水平に対し４５度以下とすることができる。また、勾配部は直線状であるとは限らず、たとえば、図９（ａ）では水平部Ｐ２は隣接する第１垂直部Ｐ１および第２垂直部Ｐ３とそれぞれ連なった曲線形状の一部とすることもできる。この場合も上記のように、曲線形状部分のうち水平に対し４５度以内となる部分に脱臭部Ｄ１及びＤ２を配置する。
【００６３】
本実施形態によると、第１実施形態と同様の効果を奏することができる。また、脱臭経路が勾配部を備え、勾配部の上壁面に空気より軽い臭気成分を吸着する脱臭部を設け、及び／又は、勾配部の下壁面に空気より重い臭気成分を吸着する脱臭部を設けられる。従って、脱臭経路を流通する冷気に含まれる臭気成分がより多量に脱臭部に付着して分解され、脱臭効果を向上させることができる。
【００６４】
＜補足＞
上記第１実施形態及び第２実施形態では、課題を解決するための手段に対応して、冷却器から吐出通路を介して冷気を供給して冷蔵温度に維持される第１貯蔵室を冷蔵室４とし、第１貯蔵室よりも高温の冷蔵温度に維持される第２貯蔵室を野菜室５とした。しかしながら第１貯蔵室及び第２貯蔵室の組み合わせとしてはこれに限られるものではない。
【００６５】
例えば第１貯蔵室をチルド室７０や冷凍室２６とし、第２貯蔵室を冷蔵室４としてもよい。その場合、冷蔵庫１は野菜室５を備えない冷蔵庫（いわゆる２ドアの冷蔵庫）であってもよい。
【００６６】
また、上記第１実施形態及び第２実施形態では、冷気が循環する冷却器室１２、冷蔵室４及び野菜室５の各室を連通し、冷風が流通する通路（上部通路９及び冷蔵用通路８を含む吐出通路、戻り通路３４、連通路４４）のうち１の通路が脱臭経路を構成し、脱臭部４０が設けられることとしたが、２以上の通路が脱臭経路を構成し、脱臭部４０が設けられてもよい。
【産業上の利用可能性】
【００６７】
本発明によると、脱臭経路に脱臭部を備えた冷蔵庫に利用することができる。
【符号の説明】
【００６８】
１      冷蔵庫
２      本体部
３      断熱箱体
４      冷蔵室
４ｂ、４ｃ、４ｄ、４ｅ    棚
４ｆ    連通口
５      野菜室
５ａ    扉
５ｂ    側壁
５ｃ    後壁
５ｄ    回避部
６      冷凍室
６ａ    扉
６ｂ、６ｃ、６ｄ  収納ケース
７      冷気通路
８      冷蔵用通路
８ａ、８ｂ、８ｃ、８ｄ、８ｅ、８ｆ    吐出口
９      上部通路
９ａ、９ｂ    吐出口
９ｃ    戻り口
９ｄ    側壁
１０    送風ファン
１１    冷却器
１２    冷却器室
１２ａ  気流案内部
１２ｂ  上壁
１２ｃ  流入口
１２ｄ  側壁
１３    発泡断熱材
１４    外箱
１５    内箱
１８、１９、２０    仕切部
２１    冷凍区画部
２３    ダンパ
２４    送風ファン
２５    製氷室
２５ａ  扉
２５ｂ  貯氷ケース
２６    冷凍室
２６ａ  扉
２６ｂ  収納ケース
２７    仕切板
２９    下部通路
２９ａ、２９ｂ、２９ｃ、２９ｄ  吐出口
３０    機械室
３１    圧縮機
３２ａ    分割通路
３２ｂ    分割通路
３２ｃ    仕切壁
３４      戻り通路
３５、３６      仕切部
４０    脱臭部
５０    収納ケース
５１    小物ケース
７０    チルド室
７０ａ  収納ケース
７１    収納ケース
７２    貯水タンク
Ｄ      直線
【図１】
0006386285.tif 000002
【図２】
0006386285.tif 000003
【図３】
0006386285.tif 000004
【図４】
0006386285.tif 000005
【図５】
0006386285.tif 000006
【図６】
0006386285.tif 000007
【図７】
0006386285.tif 000008
【図８】
0006386285.tif 000009
【図９】
0006386285.tif 000010